(57)【要約】 【構成】  プログラム選択キーと信号発信回路とを備え、前記プログラム選択キーによって適宜プログラムを選択し、前記信号発信回路によってこの選択されたプログラムの信号を発信し、無線によってＤＶＤプレーヤーを遠隔操作するようにしたＤＶＤプレーヤー用リモコン装置である。【効果】  プログラム選択キーを操作するのみでＤＶＤプレーヤーにおいて相応するプログラムの頭出しをワンタッチで操作することができる結果、この頭出しの作業が従来と比べて簡単且つ容易となる。よって、電子機械に疎い高齢者や子供であっても容易に操作することができるとともに、一般人にとっても簡単な操作を必要とする展示場等では使用しやすく、その使用価値は極めて向上する。【選択図】    図１
0003108935.tif 000002
【実用新案登録請求の範囲】
【請求項１】
プログラム選択キーと信号発信回路とを備え、前記プログラム選択キーによって適宜プログラムを選択し、前記信号発信回路によってこの選択されたプログラムの信号を発信し、無線によってＤＶＤプレーヤーを遠隔操作することを特徴とするＤＶＤプレーヤー用リモコン装置。
【請求項２】
請求項１のＤＶＤプレーヤー用リモコン装置装置において、前記信号発信回路にビット調節スイッチを設け、このビット調節スイッチを操作することによってリモコンコードにあったビットを選択可能にしたことを特徴とするＤＶＤプレーヤー用リモコン装置。
【請求項３】
請求項１のＤＶＤプレーヤー用リモコン装置装置において、前記信号発信回路に複数の発信手段を設け、複数のＤＶＤプレーヤーにおいて異なるプログラムを同時に頭出し可能としたことを特徴とするＤＶＤプレーヤー用リモコン装置。
【請求項４】
請求項１のＤＶＤプレーヤー用リモコン装置装置において、前記プログラム信号発信回路を交換可能としたことを特徴とするＤＶＤプレーヤー用リモコン装置。
【請求項５】
請求項１のＤＶＤプレーヤー用リモコン装置装置において、更に、コマンドキーを設置したことを特徴とするＤＶＤプレーヤー用リモコン装置。
【考案の詳細な説明】
【技術分野】
【０００１】
この考案はＤＶＤプレーヤー用リモコン装置に関し、主として、展示場等において使用されるものである。
【背景技術】
【０００２】
従来におけるＤＶＤプレーヤー用リモコン装置においては、メニューキー，プログラム選択キー，決定キーの三種類のキーを備え、使用者は、これらのキーを順に操作することによって、ＤＶＤプレーヤーにおけるプログラムの頭出しを行っていた。
【０００３】
【特許文献１】特開２００１−２８５８０７
【考案の開示】
【考案が解決しようとする課題】
【０００４】
しかしながら、かかる従来のＤＶＤプレーヤー用リモコン装置にあっては、このようにメニューキー，プログラム選択キー，決定キーの三種類のキーを順に間違い無く操作しなければならず、複雑であるとともに手間がかかるため、電子機械に疎い高齢者や子供にとっては操作がわかりづらく、特に、簡単な操作を必要とする展示場等では使用しにくいという不都合を有した。
【０００５】
この考案の課題はこれらの不都合を解消することである。
【課題を解決するための手段】
【０００６】
上記課題を達成するために、この考案に係るＤＶＤプレーヤー用リモコン装置においては、プログラム選択キーと信号発信回路とを備え、前記プログラム選択キーによって適宜プログラムを選択し、前記信号発信回路によってこの選択されたプログラムの信号を発信し、無線によってＤＶＤプレーヤーを遠隔操作するようにしたものである。
【０００７】
なお、前記信号発信回路にビット調節スイッチを設け、このビット調節スイッチを操作することによってリモコンコードにあったビットを選択可能にすることができる。
【０００８】
また、前記信号発信回路に複数の発信手段を設け、複数のＤＶＤプレーヤーにおいて異なるプログラムを同時に頭出し可能とすることもできる。
【０００９】
また、前記プログラム信号発信回路を交換可能とすることもできる。
【００１０】
また、更に、コマンドキーを設置することもできる。
【考案の効果】
【００１１】
この考案に係るＤＶＤプレーヤー用リモコン装置は、プログラム選択キーと信号発信回路とを備え、前記プログラム選択キーによって適宜プログラムを選択し、前記信号発信回路によってこの選択されたプログラムの信号を発信し、無線によってＤＶＤプレーヤーを遠隔操作するようにしたため、前記プログラム選択キーを操作するのみでＤＶＤプレーヤーにおいて相応するプログラムの頭出しをワンタッチで操作することができる結果、この頭出しの作業が従来と比べて簡単且つ容易となる。
【００１２】
よって、このＤＶＤプレーヤー用リモコン装置を使用すれば、電子機械に疎い高齢者や子供であっても容易に操作することができるとともに、一般人にとっても簡単な操作を必要とする展示場等では使用しやすく、その使用価値は極めて向上する。
【００１３】
なお、前記信号発信回路にビット調節スイッチを設け、このビット調節スイッチを操作することによってリモコンコードにあったビットを選択可能にすれば、当該ＤＶＤプレーヤーに合わせてリモコンコードのビットを選択することによりＤＶＤプレーヤーに対応することもできるものである。
【００１４】
また、前記信号発信回路に複数の発信手段を設け、複数のＤＶＤプレーヤーにおいて異なるプログラムを同時に頭出し可能とすれば、関連する映像を流すことにより映像の演出効果を高めることができるものである。
【００１５】
また、前記プログラム信号発信回路を交換可能とすれば、異なるＤＶＤソフトに対応することができ、その使用価値は向上する。
【００１６】
また、更に、コマンドキーを設置すれば、ＤＶＤプレーヤーの遠隔操作がより一層便利になる。
【実施例】
【００１７】
図１はこの考案に係るＤＶＤプレーヤー用リモコン装置の説明図、図２は同装置の正面斜視図、図３は同背面斜視図、図４は図１におけるIV矢視図、図５は信号発信回路の基盤の正面図である。
【００１８】
図１〜図４において、ＡはＤＶＤプレーヤー用リモコン装置、10はその支持基板である。この支持基板10は鉄板で形成され、前記リモコン装置Ａを支えている。11はキー用基板であり、前記支持基板10と一体形成されている。このキー用基板11は後ろ上がりの傾斜状をしている。12,12,…はプログラム選択キーであり、前記キー用基板11に設置されている。このプログラム選択キー12は押しボタン式である。
【００１９】
13はアクリル製の透明押さえ板であり、前記キー用基板11にビス131,131,…止めされている。この透明押さえ板13と前記キー用基板11との間にはタイトルシート14が挟まれている。このタイトルシート14には、前記プログラム選択キー12に対応して、ＤＶＤソフトにおけるプログラムの内容141,141,…が説明されている。このタイトルシート14はＤＶＤソフトに応じて取替え可能である。なお、前記透明押さえ板13および前記タイトルシート14における前記プログラム選択キー12に対応する位置は孔が開いているため、前記プログラム選択キー12の操作がこれらによって妨げられることはない。
【００２０】
また、図示はしてないが、前記キー用基板11に、「入力切替え」，「音声調節」，「早送り」，「停止」，「一時停止」等の通常使用されているコマンドキーを設置すれば、ＤＶＤプレーヤー90の遠隔操作がより一層便利になる。
【００２１】
図３および図４において、Ｂはメインユニットボックスであり、前記キー用基板11の背面に設置されている。このメインユニットボックスＢ内には前記ＣＰＵ基板20が収容されている（図５を参照のこと）。このＣＰＵ基板20はこの考案の「信号発信回路」に相当し、前記プログラム選択キー12によって選択されたプログラムの信号を発信し、無線によってＤＶＤプレーヤー90に送信するためのものである（図１を参照のこと）。なお、このＤＶＤプレーヤー90はこの送信されたコントロール信号によって頭出しがされ、相応する映像をモニター91に投影する。
【００２２】
図５に示すように、このＣＰＵ基板20には、ＣＰＵ21，電源コネクタ22，ビット調節スイッチ23，ＤＶＤコントロール用赤外線ＬＥＤ（この発明の「発信手段」に相当する）24，赤外線ＬＥＤ延長コネクタ25，電源インジケータ用ＬＥＤ26，外部制御線用タネクタ27が設置されている。
【００２３】
ここに、前記ＣＰＵ21は前記プログラム選択キー12によって選択されたプログラムの信号を発信させる回路である。22は電源コネクタであり、電池ボックス30と接続され、このＣＰＵ基板20に電源を提供するためのものである。なお、電池ボックス30内には単３電池４本が収容されている。
【００２４】
次に、前記ビット調節スイッチ23は、メーカーの異なるＤＶＤプレーヤー90に合わせてリモコンコードのビットを選択して、あらゆるＤＶＤプレーヤーに対応できるようにしている。また、ビットの異なる複数のＤＶＤプレーヤー90において各々ビット調節スイッチ23は操作すれば、これらが隣合わせであってもそれぞれ独立した操作をすることができるものである。
【００２５】
また、前記ＤＶＤコントロール用赤外線ＬＥＤ24は、前記ＣＰＵ21によって生じた信号を、ＤＶＤプレーヤー90に対し赤外線によって発信するためのものである。なお、前記ＤＶＤコントロール用赤外線ＬＥＤ（この発明の「発信手段」に相当する）24を複数設置して、複数のＤＶＤプレーヤー90,90 において互いに異なるプログラムを同時に頭出し可能とすれば、互いに関連する映像を流すことができるため映像の演出効果を高めることができる。
【００２６】
また、前記赤外線ＬＥＤ延長コネクタ25は延長ケーブル251 を介して赤外線ＬＥＤ252 を接続し、前記ＤＶＤコントロール用赤外線ＬＥＤ24の赤外線が到達しない範囲をカバーするためのものである。
【００２７】
前記電源インジケータ用ＬＥＤ26は、前記プログラム選択キー12を押した際に一時点灯するとともに前記乾電池の電圧が基準値よりも低下したときに点滅するように設置されている。
【００２８】
なお、前記ＤＶＤコントロール用赤外線ＬＥＤ24および前記電源インジケータ用ＬＥＤ26は前記メインユニットボックスＢから露出している。
【００２９】
また、前記外部制御線用タネクタ27は、外部制御ケーブル271 を介して補助選択キー272 を接続するためのものである。この補助選択キー272 は、前記キー用基板11以外に設置するためのものである。例えば、地図や図形等におけるプログラムに対応する位置に設置することにより使用される。
【産業上の利用可能性】
【００３０】
プログラムの頭出しをワンタッチで操作することができるため、電子機械に疎い高齢者や子供であっても容易に操作できるとともに、一般人にとっても簡単な操作を必要とする展示場等では使用しやすいＤＶＤプレーヤー用リモコン装置として利用することができる。
【図面の簡単な説明】
【００３１】
【図１】図１はこの考案に係るＤＶＤプレーヤー用リモコン装置の説明図である。
【図２】図２は同装置の正面斜視図である。
【図３】図３は同背面斜視図である。
【図４】図４は図１におけるIV矢視図である。
【図５】図５は信号発信回路の基盤の正面図である。
【符号の説明】
【００３２】
Ａ  …  ＤＶＤプレーヤー用リモコン装置
10  …  支持基板
11  …  キー用基板
12  …  プログラム選択キー
13  …  透明押さえ板
131 …  取付ビス
14  …  タイトルシート
141 …  プログラムの内容の説明
Ｂ  …  メインユニットボックス
20  …  ＣＰＵ基板（信号発信回路）
21  …  ＣＰＵ
22  …  電源コネクタ
23  …  ビット調節スイッチ
24  …  ＤＶＤコントロール用赤外線ＬＥＤ（発信手段）
25  …  赤外線ＬＥＤ延長コネクタ  
26  …  電源インジケータ用ＬＥＤ
27  …  外部制御線用タネクタ
30  …  電池ボックス
90  …  ＤＶＤプレーヤー
91  …  モニター
【図１】
0003108935.tif 000003
【図２】
0003108935.tif 000004
【図３】
0003108935.tif 000005
【図４】
0003108935.tif 000006
【図５】
0003108935.tif 000007